(57)【要約】【課題】従来の技術である特開平１１−５０４８７号の所謂Ｓ字型に可動アームを回動させる構造では、長期間使用中に破壊されるというおそれがある。【解決手段】伸縮用ネジＡに螺合し、前進後退し得るスライドバーＢと、該スライドバーＢにアームリンク取付けバンドＤで取付けられたアームリンクＣと、その先端にアームリンクガイドピンＥを付したアームリンクブラケットＦでガイドされ、アームリンクガイドプレートＪを設け接触面を多くし、伸縮用ネジＡに螺合されたスライドバーＢの移動により、アームリンクＣを移動させ、その基部のスライドバーＢに取付けられたアームリンクＣの接触面及びアームリンクＣの自由端を構成する円弧面と可動アーム側アタッチメント脱着用あごＧの背面とを面接触させて、アームリンクＣを油圧ショベルリンケージ取付け側軸孔１１ｂの中心を軸として回動し得るようにしたことを特徴とする掘削機用アタッチメントの取付け装置。【選択図】　　図１
2004052438.tif 000002
【特許請求の範囲】
【請求項１】
土木機械の旋回腕先端に固着する油圧ショベルアーム取付け側軸孔１１ａと油圧ショベルリンケージ取付け側軸孔１１ｂと有する交換器本体１１に、破砕機等の作業体に設けたアタッチメントピン１２に係合する固定側アタッチメント脱着用あごＨと、可動アーム側アタッチメントピン１３に係合する可動アーム側アタッチメント脱着用あごＧと、可動のストレートアーム１４とを設け、
かつ伸縮用ネジＡに螺合し、前進後退し得るスライドバーＢと、該伸縮用ネジＡに平行なスライドバーガイドレールＩと，該スライドバーＢにアームリンク取付けバンドＤで取付けられたアームリンクＣと、その先端にアームリンクガイドピンＥを付したアームリンクブラケットＦでガイドされ、アームリンクガイドプレートＪで接触面を多くし、伸縮用ネジＡに螺合されたスライドバーＢの移動により、アームリンクＣを移動させ、その基部のスライドバーＢに取付けられたアームリンクＣのスライドバーＢとの接触面とアームリンクＣの自由端を構成する円弧面と可動アーム側アタッチメント脱着用あごＧの背面とを面接触させて、アームリンクＣを油圧ショベルリンケージ取付け側軸孔１１ｂの中心を軸として回動し得るようにし、
かつ伸縮用ネジＡの基部は交換器本体１１に固定されるようにしたことを特徴とする掘削機用アタッチメントの取付け装置。
【発明の詳細な説明】
【０００１】
【発明の属する技術分野】
本発明は、油圧式のパワーショベル用アタッチメントの取付け装置に関し、詳しくは、バケット、ジョークラッシャ、ブレーカ等のアタッチメントをパワーショベルのアームの先端に簡単にかつ確実に取り付けることができる取付け装置に関するものである。
【０００２】
【従来の技術】
従来、油圧式のパワーショベル用アタッチメントの取付け装置として、特開平１１−５０４８７号公報に記載されているものは、土木機械において、交換器本体に、バケットや破砕器等の作業体に一対の固定用杆に係合する係合あごと、可動係合あご体を設け、固定用杆を可動係合あご体の緊締方向に雄ロックバーを本体に設置した緩衝部材付きの回転螺杆にねじ込んだものが知られている。
又、特開２０００−１８７２号では可動連結部にアームを別に設けているが、両者の間に結合用の回動軸を設けているのものが記載されている。
【０００３】
【発明が解決しようとする課題】
従来の技術である特開平１１−５０４８７号の所謂Ｓ字型に可動アームを回動させる構造では、極部的に荷重が集中し、長期間使用中に破壊されるという問題がある。又、特開２０００−１８７２号は可動連結部にアームを別に設けているが、両者の間に結合用の回動軸を設けているので、ここに用いられる結合ピンの強度に問題が生じれば破損すること、また本発明より複雑構造であるからコストアップになるという欠点がある。
本発明はかかる従来技術では解決できなかった、アタッチメントのスライドバーの割れを防止することのできるパワーショベル用アタッチメントの取付け装置を提供することを目的とするものである。
【０００４】
【課題を解決するための手段】
本発明は、油圧式のパワーショベル用アタッチメントの取付け装置に関し、詳しくは、バケット、ジョウークラッシャ、ブレーカ等のアタッチメントをパワーショベルのアームの先端に簡単にかつ確実に取り付けることができる取付け装置に関するものである。
【０００５】
すなわち、本発明は、パワーショベルのアームの先端に着脱自在に取付けると共に、パワーショベル用アタッチメントの一対の連結ピンを着脱自在に取り付ける装置であって、
請求項１の発明は、土木機械の旋回腕先端に固着する油圧ショベルアーム取付け側軸孔１１ａと油圧ショベルリンケージ取付け側軸孔１１ｂと有する交換器本体１１に、破砕機等の作業体に設けた一対のアタッチメントピン１２に係合する固定側アタッチメント脱着用あごＨと、可動アーム側アタッチメントピン１３に係合する可動アーム側アタッチメント脱着用あごＧと、油圧ショベルリンケージ取付け側軸孔１１ｂ中心を軸芯として回動し得るストレートアーム１４とを設け、かつ固定側アタッチメント脱着用あごＨと可動アーム側アタッチメント脱着用あごＧとを離隔近接しうるように、伸縮用ネジＡに螺合し、前進後退し得るスライドバーＢに基部が取付けられ、アームリンクＣをその基部のスライドバーＢとの接触面と面接触させアームリンクＣの基部と反対側の自由端を構成する円弧面と可動アーム側アタッチメント脱着用あごＧの背面とを面接触させて、アームリンクＣを油圧ショベルリンケージ取付け側軸孔１１ｂの中心を軸として回動し得るようにしたことを特徴とする掘削機用アタッチメントの取付け装置。なお詳細には、請求項１の発明は、アームリンクＣの基部はスライドバーＢに平行なスライドバーガイドレールＩに沿って移動可能にさる。アームリンクＣはアームリンク取付けバンドＤによりスライドバーＢに取付けられ、その際スライドバーＢの軸との接触面を面接触するようにし、かつ自由端側では、アームリンクのガイドピンＥを付したアームリンクのガイドブラケットＦでガイドされ、アームリンクガイドプレートＪで接触面積を多くしたことを特徴とする。なお伸縮用ネジＡの基部は回動拘束部Ａ−ａで回動しないように固定される。
フレームの一側に上記連結ピンの一方を嵌め込む連結ピン収容溝を設けた固定連結部を設け、上記連結ピンの他方を嵌め込む連結ピン収容溝を設けた可動連結部を設け、且つ可動係合あご体を伸縮用ねじで伸縮可能になし、かつ該伸縮用ねじをほぼ中央部で保持するスライドバーにアームリンクをアームリンク取付けバーによりガイドされるように取付けてなることを特徴とするパワーショベル用アタッチメントの取付け装置である。
【０００６】
【発明の実施の形態】
以下図１のストレートアーム縮小時簡略正面図、図２のストレートアーム伸長時簡略正面図、及び図３で示す図２の下面側から見た斜視図により説明する。
図１、２に於いて、土木機械の旋回腕先端に固着する油圧ショベルアーム取付け側軸孔１１ａと油圧ショベルリンケージ取付け側軸孔１１ｂと有する交換器本体１１に、破砕機等の作業体に設けた一対のアタッチメントピン１２に係合する固定側アタッチメント脱着用あごＨと、可動アーム側アタッチメントピン１３に係合する可動アーム側アタッチメント脱着用あごＧと、油圧ショベルリンケージ取付け側軸孔１１ｂの中心を軸芯として回動し得るストレートアーム１４とを設け、かつ固定側アタッチメント脱着用あごＨと可動アーム側アタッチメント脱着用あごＧとを離隔近接しうるように、伸縮用ネジＡに螺合し、前進後退し得るスライドバーＢに基部が取付けられ、自由端が湾曲して可動アーム側アタッチメント脱着用あごＧの背面に接触するようにしたアームリンクＣを設けたことによる掘削機用アタッチメントの取付け装置が構成されている。
アームリンクＣの基部はスライドバーＢに平行なスライドバーガイドレールＩに沿って移動可能にされている。
【０００７】
従って、図１に示すように伸縮用ネジＡに螺合しているので、伸縮用ネジＡを回動させ、スライドバーＢをネジの先端側に移動させるときは、アームリンクＣはこれに伴って移動し、その自由端面が図１のようにアーム側アタッチメント脱着用あごの背面を押して、ストレートアーム１４を外方に回動させる。
その逆に図２に示すように伸縮用ネジＡを回動させ、スライドバーＢをネジの締めつけ縮小するように移動させるときは、アームリンクＣはこれに伴って回動し、その自由端面が図１のようにアーム側アタッチメント脱着用あごの背面で押されて、ストレートアーム１４を内方に回動させる。
この際アームリンクＣの基部側では、ネジの軸に面接触で回動するようになっている。
図３はアームリンクＣの底面側から見た斜視図であり、スライドバーＢにアームリンクＣの基部がアームリンク取付けバンドＤにより固定され、その先端側ではアームリンクのガイドピンＥを付したアームリンクのガイドブラケットＦの接触状態を調節して接触させることができる。
アームリンクガイドプレートＪは、アームリンクＣのガイドブラケットＦに取付けられ、接触面を構成する。
【０００８】
【発明の効果】
本発明によれば、ストレートアームの伸縮時に伸縮用ネジとスライダーとアームリンクよりなる機構とし、比較的簡単なアームリンク機構を採用したことで、図１の伸長時にはアームリンクＣはアームリンクガイドブラケットＦによりガイドされて、スムースにストレートアームを押すこととができる。又図２の縮小時にはアームリンクのガイドプレートＪとストレートアームＧの背面との面接触でスムースにストレートアームが縮小する。又、アームリンクＣの基部でも面接触するようになっている。
上記のような構成であるから、本発明で構成していると２ヵ所の面接触によりストレートアーム、リンク、スライドバーの接続に荷重当たり面を大きく取ることができ、これにより耐久性の優れた構造を得ることができる。
【図面の簡単な説明】
【図１】ストレートアーム伸長時の簡略正面図
【図２】ストレートアーム縮小時の簡略正面図
【図３】アームリンクを含む斜視図
【符号の説明】
１１　交換器本体
１１ａ　油圧ショベルアーム取付け側軸孔
１１ｂ　油圧ショベルリンケージ取付け側軸孔
１２　アタッチメントピン
１３　可動アーム側アタッチメントピン
１４　ストレートアーム
Ａ　伸縮用ネジ
Ａ−ａ　回動拘束部
Ｂ　スライドバー
Ｃ　アームリンク
Ｄ　アームリンク取付けバンド
Ｅ　アームリンクのガイドピン
Ｆ　アームリンクのガイドブラケット
Ｇ　可動アーム側アタッチメント脱着用あご
Ｈ　タッチメント脱着用あご
Ｉ　イドレールＩ
Ｊ　ームリンクガイドプレート
【図１】
2004052438.tif 000003
【図２】
2004052438.tif 000004
【図３】
2004052438.tif 000005
【手続補正書】
【提出日】平成14年7月24日(2002.7.24)
【手続補正１】
【補正対象書類名】明細書
【補正対象項目名】０００８
【補正方法】変更
【補正の内容】
【０００８】
【発明の効果】
本発明によれば、ストレートアームの伸縮時に伸縮用ネジとスライダーとアームリンクよりなる機構とし、比較的簡単なアームリンク機構を採用したことで、図１の伸長時にはアームリンクＣはアームリンクガイドブラケットＦによりガイドされて、スムースにストレートアームを押すことができる。又図２の縮小時にはアームリンクのガイドプレートＪと可動アーム側アタッチメント脱着用あごＧの背面との面接触でスムースにストレートアームが縮小する。又、アームリンクＣの基部でも面接触するようになっている。
上記のような構成であるから、本発明で構成している２ヵ所の面接触によりストレートアーム、リンク、スライドバーの接続に荷重当たり面を大きく取ることができ、これにより耐久性の優れた構造を得ることができる。


【手続補正２】
【補正対象書類名】明細書
【補正対象項目名】符号の説明
【補正方法】変更
【補正の内容】
【符号の説明】
１１　交換器本体
１１ａ　油圧ショベルアーム取付け側軸孔
１１ｂ　油圧ショベルリンケージ取付け側軸孔
１２　アタッチメントピン
１３　可動アーム側アタッチメントピン
１４　ストレートアーム
Ａ　伸縮用ネジ
Ａ−ａ　回動拘束部
Ｂ　スライドバー
Ｃ　アームリンク
Ｄ　アームリンク取付けバンド
Ｅ　アームリンクのガイドピン
Ｆ　アームリンクのガイドブラケット
Ｇ　可動アーム側アタッチメント脱着用あご
Ｈ　アタッチメント脱着用あご
Ｉ　ガイドレール
Ｊ　アームリンクのガイドプレート